(57)【特許請求の範囲】
【請求項１】
アンテナアレイ間のチャネルに関する情報をフィードバックする方法であって、
第１のネットワーク装置が、第２のネットワーク装置によって送信された、Ｎ×Ｍ個のサブチャネルのチャネル情報を受信するステップであって、前記第１のネットワーク装置のアンテナアレイはＭ個のサブアレイを含み、前記第２のネットワーク装置のアンテナアレイはＮ個のサブアレイを含み、前記第１のネットワーク装置の前記アンテナアレイと前記第２のネットワーク装置の前記アンテナアレイとの間のチャネルは前記Ｎ×Ｍ個のサブチャネルを含み、Ｍ及びＮは正の整数であり且つ両者とも１ではなく、前記Ｍ個のサブアレイと前記Ｎ個のサブアレイはそれぞれ少なくとも２つのアンテナを含む、ステップと、
前記第２のネットワーク装置からの前記Ｎ×Ｍ個のサブチャネルの前記チャネル情報に従って、前記第１のネットワーク装置の前記アンテナアレイと前記第２のネットワーク装置の前記アンテナアレイとの間の前記チャネルのチャネル情報を生成するステップと、
を含む方法。
【請求項２】
前記Ｎ×Ｍ個のサブチャネルの前記チャネル情報は、ランクインジケータ（ＲＩ）及びプリコーディング行列インジケータ（ＰＭＩ）を含み、前記Ｎ×Ｍ個のサブチャネルの各々は１つのサブチャネル行列に対応し、
前記Ｎ×Ｍ個のサブチャネルの前記チャネル情報は、
前記Ｎ×Ｍ個のサブチャネルに対応するチャネル行列の自己相関行列を取得するステップと、
前記Ｎ×Ｍ個のサブチャネルの前記チャネル行列の自己相関行列に従って、前記Ｎ×Ｍ個のサブチャネルの前記ＲＩ及び前記ＰＭＩを取得するステップと、
に従って取得される、請求項１に記載の方法。
【請求項３】
前記Ｎ×Ｍ個のサブチャネルの前記チャネル情報はプリコーディングを含み、前記Ｎ×Ｍ個のサブチャネルの各々は１つのサブチャネル行列に対応し、
前記Ｎ×Ｍ個のサブチャネルの前記チャネル情報は、
前記Ｎ×Ｍ個のサブチャネルに対応するチャネル行列の自己相関行列を取得するステップと、
前記Ｎ×Ｍ個のサブチャネルの前記チャネル行列の自己相関行列に従って、前記Ｎ×Ｍ個のサブチャネルの前記プリコーディングを取得するステップと、
に従って取得される、請求項１に記載の方法。
【請求項４】
前記第１のネットワーク装置が、前記第２のネットワーク装置にサブアレイ構成情報を送信するステップであって、前記サブアレイ構成情報は、前記第１のネットワーク装置の前記アンテナアレイを前記Ｍ個のサブアレイに分割するために用いられ、Ｍは２以上の正の整数である、ステップ、
を更に含む、請求項１に記載の方法。
【請求項５】
前記サブアレイ構成情報は少なくとも１つのパターンを含み、前記Ｍ個のサブアレイは前記少なくとも１つのパターンに従って決定される、
請求項４に記載の方法。
【請求項６】
前記サブアレイ構成情報は各サブアレイの開始ポート番号を含み、前記Ｍ個のサブアレイの各々は前記開始ポート番号に従って決定される、
請求項４に記載の方法。
【請求項７】
前記サブアレイ構成情報は、物理ダウンリンク制御チャネル（ＰＤＣＣＨ）、無線リンク制御（ＲＬＣ）シグナリング又は物理ブロードキャストチャネル（ＰＢＣＨ）を用いて送信される、
請求項４に記載の方法。
【請求項８】
アンテナアレイ間のチャネルに関する情報をフィードバックする方法であって、
第２のネットワーク装置が、第１のネットワーク装置のアンテナアレイと前記第２のネットワーク装置のアンテナアレイとの間のチャネルのＮ×Ｍ個のサブチャネルのチャネル情報を生成するステップであって、前記第１のネットワーク装置の前記アンテナアレイはＭ個のサブアレイを含み、前記第２のネットワーク装置の前記アンテナアレイはＮ個のサブアレイを含み、Ｍ及びＮは正の整数であり且つ両者とも１ではなく、前記Ｍ個のサブアレイと前記Ｎ個のサブアレイはそれぞれ少なくとも２つのアンテナを含む、ステップと、
前記Ｎ×Ｍ個のサブチャネルの前記チャネル情報を前記第１のネットワーク装置に送信するステップであって、それにより前記第１のネットワーク装置は、前記Ｎ×Ｍ個のサブチャネルの前記チャネル情報に従って、前記第１のネットワーク装置の前記アンテナアレイと前記第２のネットワーク装置の前記アンテナアレイとの間の前記チャネルのチャネル情報を生成できる、ステップと、
を含む方法。
【請求項９】
前記Ｎ×Ｍ個のサブチャネルの前記チャネル情報は、ランクインジケータ（ＲＩ）及びプリコーディング行列インジケータ（ＰＭＩ）を含み、前記Ｎ×Ｍ個のサブチャネルの各々は１つのサブチャネル行列に対応し、
前記Ｎ×Ｍ個のサブチャネルの前記チャネル情報は、
前記Ｎ×Ｍ個のサブチャネルのチャネル行列の自己相関行列を取得するステップと、
前記Ｎ×Ｍ個のサブチャネルの前記チャネル行列の自己相関行列に従って、前記Ｎ×Ｍ個のサブチャネルの前記ＲＩ及び前記ＰＭＩを取得するステップと、
に従って取得される、請求項８に記載の方法。
【請求項１０】
前記Ｎ×Ｍ個のサブチャネルの前記チャネル情報はプリコーディングを含み、前記Ｎ×Ｍ個のサブチャネルの各々は１つのサブチャネル行列に対応し、
第２のネットワーク装置が、第１のネットワーク装置のアンテナアレイと前記第２のネットワーク装置のアンテナアレイとの間のチャネルのＮ×Ｍ個のサブチャネルのチャネル情報を生成する前記ステップは、
前記Ｎ×Ｍ個のサブチャネルのチャネル行列の自己相関行列を取得するステップと、
前記Ｎ×Ｍ個のサブチャネルの前記チャネル行列の自己相関行列に従って、前記Ｎ×Ｍ個のサブチャネルの前記プリコーディングを取得するステップと、
を含む、請求項８に記載の方法。
【請求項１１】
前記第２のネットワーク装置が、前記第１のネットワーク装置によって送信されたサブアレイ構成情報を受信するステップであって、前記サブアレイ構成情報は、前記第１のネットワーク装置の前記アンテナアレイを前記Ｍ個のサブアレイに分割するために用いられ、Ｍは２以上の正の整数である、ステップ、
を更に含む、請求項８に記載の方法。
【請求項１２】
前記サブアレイ構成情報は少なくとも１つのパターンを含み、前記Ｎ個のサブアレイは前記少なくとも１つのパターンに従って決定される、
請求項１１に記載の方法。
【請求項１３】
前記サブアレイ構成情報は各サブアレイの開始ポート番号を含み、前記Ｍ個のサブアレイは各サブアレイの前記開始ポート番号に従って決定される、
請求項１１に記載の方法。
【請求項１４】
前記サブアレイ構成情報は、物理ダウンリンク制御チャネル（ＰＤＣＣＨ）、無線リンク制御（ＲＬＣ）シグナリング又は物理ブロードキャストチャネル（ＰＢＣＨ）を用いて送信される、
請求項１１に記載の方法。
【請求項１５】
アンテナアレイ間のチャネルに関する情報をフィードバックするための装置であって、
第２のネットワーク装置によって送信された、Ｎ×Ｍ個のサブチャネルのチャネル情報を受信するように構成される受信モジュールであって、第１のネットワーク装置のアンテナアレイはＭ個のサブアレイを含み、前記第２のネットワーク装置のアンテナアレイはＮ個のサブアレイを含み、前記第１のネットワーク装置の前記アンテナアレイと前記第２のネットワーク装置の前記アンテナアレイとの間のチャネルは前記Ｎ×Ｍ個のサブチャネルを含み、Ｍ及びＮは正の整数であり且つ両者とも１ではなく、前記Ｍ個のサブアレイと前記Ｎ個のサブアレイはそれぞれ少なくとも２つのアンテナを含む、受信モジュールと、
前記受信モジュールからの前記Ｎ×Ｍ個のサブチャネルの前記チャネル情報に従って、前記第１のネットワーク装置の前記アンテナアレイと前記第２のネットワーク装置の前記アンテナアレイとの間の前記チャネルのチャネル情報を生成するように構成される処理モジュールと、
を備える装置。
【請求項１６】
前記第２のネットワーク装置にサブアレイ構成情報を送信するように構成される送信モジュールであって、前記サブアレイ構成情報は、前記第１のネットワーク装置の前記アンテナアレイを前記Ｍ個のサブアレイに分割するために用いられ、Ｍは２以上の正の整数である、送信モジュール、
を更に備える、請求項１５に記載の装置。
【請求項１７】
前記サブアレイ構成情報は少なくとも１つのパターンを含み、前記Ｍ個のサブアレイは前記少なくとも１つのパターンに従って決定される、
請求項１６に記載の装置。
【請求項１８】
前記サブアレイ構成情報は各サブアレイの開始ポート番号を含み、前記Ｍ個のサブアレイは各サブアレイの前記開始ポート番号に従って決定される、
請求項１６に記載の装置。
【請求項１９】
前記サブアレイ構成情報は、物理ダウンリンク制御チャネル（ＰＤＣＣＨ）、無線リンク制御（ＲＬＣ）シグナリング又は物理ブロードキャストチャネル（ＰＢＣＨ）を用いて送信される、
請求項１７に記載の装置。
【請求項２０】
アンテナアレイ間のチャネルに関する情報をフィードバックするための装置であって、
第１のネットワーク装置のアンテナアレイと第２のネットワーク装置のアンテナアレイとの間のチャネルのＮ×Ｍ個のサブチャネルのチャネル情報を生成するように構成される処理モジュールであって、前記第１のネットワーク装置の前記アンテナアレイはＭ個のサブアレイを含み、前記第２のネットワーク装置の前記アンテナアレイはＮ個のサブアレイを含み、Ｍ及びＮは正の整数であり且つ両者とも１ではなく、前記Ｍ個のサブアレイと前記Ｎ個のサブアレイはそれぞれ少なくとも２つのアンテナを含む、処理モジュールと、
前記Ｎ×Ｍ個のサブチャネルの前記チャネル情報を前記第１のネットワーク装置に送信するように構成される送信モジュールであって、それにより前記第１のネットワーク装置は、前記Ｎ×Ｍ個のサブチャネルの前記チャネル情報に従って、前記第１のネットワーク装置の前記アンテナアレイと前記第２のネットワーク装置の前記アンテナアレイとの間の前記チャネルのチャネル情報を生成できる、送信モジュールと、
を備える装置。
【請求項２１】
前記Ｎ×Ｍ個のサブチャネルの前記チャネル情報は、ランクインジケータ（ＲＩ）及びプリコーディング行列インジケータ（ＰＭＩ）を含み、前記Ｎ×Ｍ個のサブチャネルの各々は１つのサブチャネル行列に対応し、
前記処理モジュールは、
前記Ｎ×Ｍ個のサブチャネルのチャネル行列の自己相関行列を取得するように構成され、且つ、
前記Ｎ×Ｍ個のサブチャネルの前記チャネル行列の自己相関行列に従って、前記Ｎ×Ｍ個のサブチャネルの前記ＲＩ及び前記ＰＭＩを取得するように構成される、
請求項２０に記載の装置。
【請求項２２】
前記チャネル情報はプリコーディングを含み、前記Ｎ×Ｍ個のサブチャネルの各々は１つのサブチャネル行列に対応し、
前記処理モジュールは、
前記Ｎ×Ｍ個のサブチャネルのチャネル行列の自己相関行列を取得するように構成され、且つ、
前記Ｎ×Ｍ個のサブチャネルの前記チャネル行列の自己相関行列に従って、前記Ｎ×Ｍ個のサブチャネルの前記プリコーディングを取得するように構成される、
請求項２０に記載の装置。
【請求項２３】
前記第１のネットワーク装置によって送信されたサブアレイ構成情報を受信するように構成される受信モジュールであって、前記サブアレイ構成情報は、前記第１のネットワーク装置の前記アンテナアレイを前記Ｍ個のサブアレイに分割するために用いられ、Ｍは２以上の正の整数である、受信モジュール、
を更に備える、請求項２０に記載の装置。
【請求項２４】
前記サブアレイ構成情報は少なくとも１つのパターンを含み、前記Ｎ個のサブアレイは前記少なくとも１つのパターンに従って決定される、
請求項２３に記載の装置。
【請求項２５】
前記サブアレイ構成情報は各サブアレイの開始ポート番号を含み、前記Ｍ個のサブアレイは各サブアレイの前記開始ポート番号に従って決定される、
請求項２３に記載の装置。
【請求項２６】
前記サブアレイ構成情報は、物理ダウンリンク制御チャネル（ＰＤＣＣＨ）、無線リンク制御（ＲＬＣ）シグナリング又は物理ブロードキャストチャネル（ＰＢＣＨ）を用いて送信される、
請求項２３に記載の装置。
【請求項２７】
命令を含むコンピュータ可読記憶媒体であって、
前記命令は、コンピュータによって実行されると、請求項１乃至７のいずれか一項に記載の方法を前記コンピュータに実行させる、
コンピュータ可読記憶媒体。
【請求項２８】
命令を含むプログラムであって、
前記命令は、コンピュータによって実行されると、請求項１乃至７のいずれか一項に記載の方法を前記コンピュータに実行させる、
プログラム。
【請求項２９】
命令を含むコンピュータ可読記憶媒体であって、
前記命令は、コンピュータによって実行されると、請求項８乃至１４のいずれか一項に記載の方法を前記コンピュータに実行させる、
コンピュータ可読記憶媒体。
【請求項３０】
命令を含むプログラムであって、
前記命令は、コンピュータによって実行されると、請求項８乃至１４のいずれか一項に記載の方法を前記コンピュータに実行させる、
プログラム。
【発明の詳細な説明】
【技術分野】
【０００１】
本発明の実施形態は、通信分野に関し、より具体的には、アンテナアレイ間のチャネルに関する情報をフィードバックする方法及び装置に関する。
【背景技術】
【０００２】
ロングタームエボリューション（Long  Term  Evolution，ＬＴＥ）システムとそれに続く進化では、データ送信端におけるアンテナの数が急速に増加し、サービス提供を必要とするユーザ装置（User  equipment，ＵＥ）の数も急速に増加している。アンテナの数を増やすことにより、より高い空間的自由度が得られ、それにより、ダウンリンク空間で複数のデータストリームを多重化する（例えば、単一ユーザ多入力多出力（英語全称：Signal User  Multiple-Input  Multiple-Output，略してＳＵ−ＭＩＭＯ）やマルチユーザ多入力多出力（英語全称：Multi-User  Multiple-Input  Multiple-Output，略してＭＵ−ＭＩＭＯ））ための有利な条件が生み出される。ダウンリンクチャネル状態情報（英語全称：channel  state  information，略してＣＳＩ）測定は、瞬間的なＣＳＩの取得（例えばチャネル）と、統計的ＣＳＩの取得（例えばチャネル自己相関行列）との２つのタイプに分類される。大規模ＭＩＭＯシステムの機能は、次元削減やビームのグリッド（Grid  of  beam，ＧＯＢ）を含む、統計的に実行されるチャネル処理にある。
【０００３】
典型的には、大規模アンテナシステムがチャネル測定を行う場合、ＣＳＩ取得は主にダウンリンク測定とユーザ装置（英語全称：User  equipment，ＵＥ）フィードバックに依存する。従来技術において、ＵＥは、ダウンリンクチャネル情報に従って空間プリコーディングを取得し、予め設定されたプリコーディングコードブックに従って空間プリコーディングを量子化した後、量子化された空間プリコーディングを基地局にフィードバックする。既存のシステムでは、アンテナの数は比較的少なく、空間プリコーディングを得る複雑さは許容可能である。しかしながら、ＭＵ−ＭＩＭＯシナリオでは、数十個或いはそれ以上のアンテナが存在する。プリコーディングを得るためには、チャネル行列又はチャネル自己相関行列上で固有値分解が必要となるので、空間プリコーディングを得るための複雑さが高すぎてしまい、チャネル情報を得るのが非常に複雑になる。したがって、チャネル情報を得ることの複雑さをいかに減らすかが、緊急に解決される必要がある問題になる。
【発明の概要】
【０００４】
本発明の実施形態は、異なるネットワーク装置のアンテナアレイ間のチャネルのチャネル情報を取得する複雑さを軽減するために、アンテナアレイ間のチャネルに関する情報をフィードバックする方法及び装置を提供する。
【０００５】
第１の態様によれば、本発明の実施形態は、アンテナアレイ間のチャネルに関する情報をフィードバックする方法を提供する。本方法は、
第１のネットワーク装置が、第２のネットワーク装置によって送信された、Ｎ×Ｍ個のサブチャネルのチャネル情報を受信するステップであって、第１のネットワーク装置のアンテナアレイはＭ個のサブアレイを含み、第２のネットワーク装置のアンテナアレイはＮ個のサブアレイを含み、第１のネットワーク装置のアンテナアレイと第２のネットワーク装置のアンテナアレイとの間のチャネルはＮ×Ｍ個のサブチャネルを含み、Ｍ及びＮは正の整数であり且つ両者とも１ではなく、Ｍ個のサブアレイとＮ個のサブアレイは、それぞれ少なくとも２つのアンテナを含む、ステップと、
第２のネットワーク装置からのＮ×Ｍ個のサブチャネルのチャネル情報に従って、第１のネットワーク装置のアンテナアレイと第２のネットワーク装置のアンテナアレイとの間のチャネルのチャネル情報を生成するステップと、
を含む。
【０００６】
第１の態様の第１の可能な実施方式では、Ｎ×Ｍ個のサブチャネルのチャネル情報は、ランクインジケータ（ＲＩ）及びプリコーディング行列インジケータ（ＰＭＩ）を含み、Ｎ×Ｍ個のサブチャネルの各々は１つのサブチャネル行列に対応し、Ｎ×Ｍ個のサブチャネルのチャネル情報は、
Ｎ×Ｍ個のサブチャネルに対応するサブチャネル行列の自己相関行列を取得するステップと、
Ｎ×Ｍ個のサブチャネルのチャネル行列の自己相関行列に従って、Ｎ×Ｍ個のサブチャネルのＲＩ及びＰＭＩを取得するステップと、
に従って取得される。
【０００７】
第１の態様の第２の可能な実施方式では、Ｎ×Ｍ個のサブチャネルのチャネル情報はプリコーディングを含み、Ｎ×Ｍ個のサブチャネルの各々は１つのサブチャネル行列に対応する。Ｎ×Ｍ個のサブチャネルのチャネル情報は、
Ｎ×Ｍ個のサブチャネルに対応するサブチャネル行列の自己相関行列を取得するステップと、
Ｎ×Ｍ個のサブチャネルのチャネル行列の自己相関行列に従って、Ｎ×Ｍ個のサブチャネルのプリコーディングを取得するステップと、
に従って取得される。
【０００８】
第１の態様の第３の可能な実施方式では、アンテナアレイ間のチャネルに関する情報をフィードバックする方法は、更に、
第１のネットワーク装置が、第２のネットワーク装置にサブアレイ構成情報を送信するステップであって、サブアレイ構成情報は、第１のネットワーク装置のアンテナアレイをＭ個のサブアレイに分割するために用いられ、Ｍは２以上の正の整数である、ステップ、
を含む。
【０００９】
第１の態様の第３の可能な実施方式に関して、第１の態様の第４の可能な実施方式では、サブアレイ構成情報は少なくとも１つのパターンを含み、Ｍ個のサブアレイは少なくとも１つのパターンに従って決定される。
【００１０】
第１の態様の第３の可能な実施方式に関して、第１の態様の第５の可能な実施方式では、サブアレイ構成情報は各サブアレイの開始ポート番号を含み、Ｍ個のサブアレイの各々は開始ポート番号に従って決定される。
【００１１】
第１の態様の第３の可能な実施方式に関して、第１の態様の第６の可能な実施方式では、サブアレイ構成情報は、物理ダウンリンク制御チャネル（ＰＤＣＣＨ）、無線リンク制御（ＲＬＣ）シグナリング又は物理ブロードキャストチャネル（ＰＢＣＨ）を用いて送信される。
【００１２】
第２の態様によれば、本発明の実施形態は、アンテナアレイ間のチャネルに関する情報をフィードバックする別の方法を提供する。本方法は、
第２のネットワーク装置が、第１のネットワーク装置のアンテナアレイと第２のネットワーク装置のアンテナアレイとの間のチャネルのＮ×Ｍ個のサブチャネルのチャネル情報を生成するステップであって、第１のネットワーク装置のアンテナアレイはＭ個のサブアレイを含み、第２のネットワーク装置のアンテナアレイはＮ個のサブアレイを含み、Ｍ及びＮは正の整数であり且つ両者とも１ではなく、Ｍ個のサブアレイとＮ個のサブアレイは、それぞれ少なくとも２つのアンテナを含む、ステップと、
Ｎ×Ｍ個のサブチャネルのチャネル情報を第１のネットワーク装置に送信するステップであって、それにより第１のネットワーク装置は、Ｎ×Ｍ個のサブチャネルのチャネル情報に従って、第１のネットワーク装置のアンテナアレイと第２のネットワーク装置のアンテナアレイとの間のチャネルのチャネル情報を生成できる、ステップと、
を含む。
【００１３】
第２の態様の第１の可能な実施方式では、チャネル情報はランクインジケータ（ＲＩ）及びプリコーディング行列インジケータ（ＰＭＩ）を含み、Ｎ×Ｍ個のサブチャネルの各々は１つのサブチャネル行列に対応し、Ｎ×Ｍ個のサブチャネルのチャネル情報は、
Ｎ×Ｍ個のサブチャネルのチャネル行列の自己相関行列を取得するステップと、
Ｎ×Ｍ個のサブチャネルのチャネル行列の自己相関行列に従って、Ｎ×Ｍ個のサブチャネルのＲＩ及びＰＭＩを取得するステップと、
に従って取得される。
【００１４】
第２の態様の第２の可能な実施方式では、Ｎ×Ｍ個のサブチャネルのチャネル情報はプリコーディングを含み、Ｎ×Ｍ個のサブチャネルの各々は１つのサブチャネル行列に対応する。第２のネットワーク装置が、第１のネットワーク装置のアンテナアレイと第２のネットワーク装置のアンテナアレイとの間のチャネルのＮ×Ｍ個のサブチャネルのチャネル情報を生成するステップは、具体的には、
Ｎ×Ｍ個のサブチャネルのチャネル行列の自己相関行列を取得するステップと、
Ｎ×Ｍ個のサブチャネルのチャネル行列の自己相関行列に従って、Ｎ×Ｍ個のサブチャネルのプリコーディングを取得するステップと、
を含む。
【００１５】
第２の態様の第３の可能な実施方式では、本方法は更に、
第２のネットワーク装置が、第１のネットワーク装置によって送信されたサブアレイ構成情報を受信するステップであって、サブアレイ構成情報は、第１のネットワーク装置のアンテナアレイをＭ個のサブアレイに分割するために用いられ、Ｍは２よりも大きい正の整数である、ステップ、
を含む。
【００１６】
第２の態様の第３の可能な実施方式に関して、第２の態様の第４の可能な実施方式では、サブアレイ構成情報は少なくとも１つのパターンを含み、Ｎ個のサブアレイは少なくとも１つのパターンに従って決定される。
【００１７】
第２の態様の第３の可能な実施方式に関して、第２の態様の第５の可能な実施方式では、サブアレイ構成情報は各サブアレイの開始ポート番号を含み、Ｍ個のサブアレイは各サブアレイの開始ポート番号に従って決定される。
【００１８】
第２の態様の第３の可能な実施方式に関して、第２の態様の第６の可能な実施方式では、サブアレイ構成情報は、物理ダウンリンク制御チャネル（ＰＤＣＣＨ）、無線リンク制御（ＲＬＣ）シグナリング又は物理ブロードキャストチャネル（ＰＢＣＨ）を用いて送信される。
【００１９】
第３の態様によれば、本発明の実施形態は、アンテナアレイ間のチャネルに関する情報をフィードバックするための装置を提供する。本装置は、
第２のネットワーク装置によって送信された、Ｎ×Ｍ個のサブチャネルのチャネル情報を受信するように構成される受信モジュールであって、第１のネットワーク装置のアンテナアレイはＭ個のサブアレイを含み、第２のネットワーク装置のアンテナアレイはＮ個のサブアレイを含み、第１のネットワーク装置のアンテナアレイと第２のネットワーク装置のアンテナアレイとの間のチャネルはＮ×Ｍ個のサブチャネルを含み、Ｍ及びＮは正の整数であり且つ両者とも１ではなく、Ｍ個のサブアレイとＮ個のサブアレイは、それぞれ少なくとも２つのアンテナを含む、受信モジュールと、
受信モジュールからのＮ×Ｍ個のサブチャネルのチャネル情報に従って、第１のネットワーク装置のアンテナアレイと第２のネットワーク装置のアンテナアレイとの間のチャネルのチャネル情報を生成するように構成される処理モジュールと、
を備える。
【００２０】
第３の態様の第１の可能な実施方式では、送信モジュールは、第２のネットワーク装置にサブアレイ構成情報を送信するように構成され、サブアレイ構成情報は、第１のネットワーク装置のアンテナアレイをＭ個のサブアレイに分割するために用いられ、Ｍは２以上の正の整数である。
【００２１】
第３の態様の第１の可能な実施方式に関して、第３の態様の第２の可能な実施方式では、サブアレイ構成情報は少なくとも１つのパターンを含み、Ｍ個のサブアレイは少なくとも１つのパターンに従って決定される。
【００２２】
第３の態様の第１の可能な実施方式に関して、第３の態様の第３の可能な実施方式では、サブアレイ構成情報は各サブアレイの開始ポート番号を含み、Ｍ個のサブアレイは各サブアレイの開始ポート番号に従って決定される。
【００２３】
第３の態様の第１の可能な実施方式に関して、第３の態様の第４の可能な実施方式では、サブアレイ構成情報は、物理ダウンリンク制御チャネル（ＰＤＣＣＨ）、無線リンク制御（ＲＬＣ）シグナリング又は物理ブロードキャストチャネル（ＰＢＣＨ）を用いて送信される。
【００２４】
第４の態様によれば、本発明の実施形態は、アンテナアレイ間のチャネルに関する情報をフィードバックするための装置を提供する。チャネル情報フィードバック装置は、
第１のネットワーク装置のアンテナアレイと第２のネットワーク装置のアンテナアレイとの間のチャネルのＮ×Ｍ個のサブチャネルのチャネル情報を生成するように構成される処理モジュールであって、第１のネットワーク装置のアンテナアレイはＭ個のサブアレイを含み、第２のネットワーク装置のアンテナアレイはＮ個のサブアレイを含み、Ｍ及びＮは正の整数であり且つ両者とも１ではなく、Ｍ個のサブアレイとＮ個のサブアレイは、それぞれ少なくとも２つのアンテナを含む、処理モジュールと、
Ｎ×Ｍ個のサブチャネルのチャネル情報を第１のネットワーク装置に送信するように構成される送信モジュールであって、それにより第１のネットワーク装置は、Ｎ×Ｍ個のサブチャネルのチャネル情報に従って、第１のネットワーク装置のアンテナアレイと第２のネットワーク装置のアンテナアレイとの間のチャネルのチャネル情報を生成できる、送信モジュールと、
を備える。
【００２５】
第４の態様の第１の可能な実施方式では、チャネル情報はランクインジケータ（ＲＩ）及びプリコーディング行列インジケータ（ＰＭＩ）を含み、Ｎ×Ｍ個のサブチャネルの各々は１つのサブチャネル行列に対応する。処理モジュールは、具体的には、
Ｎ×Ｍ個のサブチャネルのチャネル行列の自己相関行列を取得するように構成され、且つ、
Ｎ×Ｍ個のサブチャネルのチャネル行列の自己相関行列に従って、Ｎ×Ｍ個のサブチャネルのＲＩ及びＰＭＩを取得するように構成される。
【００２６】
第４の態様の第２の可能な実施方式では、Ｎ×Ｍ個のサブチャネルのチャネル情報は、ランクインジケータ（ＲＩ）及びプリコーディング行列インジケータ（ＰＭＩ）を含み、Ｎ×Ｍ個のサブチャネルの各々は１つのサブチャネル行列に対応する。処理モジュールは、具体的には、
Ｎ×Ｍ個のサブチャネルのチャネル行列の自己相関行列を取得するように構成され、
Ｎ×Ｍ個のサブチャネルのチャネル行列の自己相関行列に従って、Ｎ×Ｍ個のサブチャネルのＲＩ及びＰＭＩを取得するように構成される。
【００２７】
第４の態様の第３の可能な実施方式では、アンテナアレイ間のチャネルに関する情報をフィードバックするための装置は、更に、
第１のネットワーク装置によって送信されたサブアレイ構成情報を受信するように構成される受信モジュールであって、サブアレイ構成情報は、第１のネットワーク装置のアンテナアレイをＭ個のサブアレイに分割するために用いられ、Ｍは２以上の正の整数である、受信モジュール、
を備える。
【００２８】
第４の態様の第３の可能な実施方式に関して、第４の態様の第４の可能な実施方式では、サブアレイ構成情報は少なくとも１つのパターンを含み、Ｎ個のサブアレイは少なくとも１つのパターンに従って決定される。
【００２９】
第４の態様の第３の可能な実施方式に関して、第４の態様の第５の可能な実施方式では、サブアレイ構成情報は各サブアレイの開始ポート番号を含み、Ｍ個のサブアレイは各サブアレイの開始ポート番号に従って決定される。
【００３０】
第４の態様の第３の可能な実施方式に関して、第４の態様の第６の可能な実施方式では、サブアレイ構成情報は、物理ダウンリンク制御チャネル（ＰＤＣＣＨ）、無線リンク制御（ＲＬＣ）シグナリング又は物理ブロードキャストチャネル（ＰＢＣＨ）を用いて送信される。
【００３１】
本発明の実施形態では、第１のネットワーク装置のアンテナアレイと第２のネットワーク装置のアンテナアレイとが複数のアンテナサブアレイに分割され、第１のネットワーク装置のアンテナアレイと第２のネットワーク装置のアンテナアレイとの間の、複数のアンテナサブアレイに対応する複数のサブチャネルのチャネル情報が取得され、複数のサブチャネルのチャネル情報に従って、第１のネットワーク装置のアンテナアレイと第２のネットワーク装置のアンテナアレイとの間のチャネルのチャネル情報が取得される。このようにして、チャネル情報の取得の複雑さが低減され、チャネル情報フィードバックの効率が改善される。
【図面の簡単な説明】
【００３２】
本発明の実施形態における技術的解決策をより明確に説明するために、実施形態又は従来技術を説明するために必要な添付図面を簡単に説明する。当然ながら、以下の説明における添付図面は、本発明の一部の実施形態を示すものに過ぎない。当業者であれば、創意工夫なしにこれらの添付図面から他の図面を更に導出できるであろう。
【図１】本発明の実施形態に係る、アンテナアレイ間のチャネルに関する情報をフィードバックする方法の概略フローチャートである。
【図２】本発明の図１に示される実施形態に係る、アンテナアレイ分割の概略図である。
【図３】本発明の別の実施形態に係る、アンテナアレイ間のチャネルに関する情報をフィードバックする方法の概略フローチャートである。
【図４】本発明の実施形態に係る、アンテナアレイ間のチャネルに関する情報をフィードバックするための装置の概略図である。
【図５】本発明の別の実施形態に係る、アンテナアレイ間のチャネルに関する情報をフィードバックするための装置の概略図である。
【発明を実施するための形態】
【００３３】
以下、本発明の実施形態における技術的解決策を、本発明の実施形態における添付図面を参照しながら、明確且つ完全に説明する。当然ながら、記載された実施形態は、本発明の実施形態の一部ではあるが全部ではない。当業者が創意工夫なしに本発明の実施形態に基づいて得た他の実施形態は、全て本発明の保護範囲に包含されるものとする。
【００３４】
本発明の実施形態における技術的解決策の理解を容易にするために、はじめに、いくつかの関連する概念を紹介する。
【００３５】
（１）アンテナ
【００３６】
アンテナは、電波や電磁波を送受信する電子機器である。物理的には、アンテナは、導体又は複数の導体の組合わせである。アンテナから、印加された交流電圧及び関連する交流に起因して、放射電磁場を生成することができる。或いは、電磁波の間にアンテナが配置されてよい。この場合、電界誘導のために、アンテナの内部に交流が発生し、アンテナの端子に交流電圧が発生する。アンテナの帯域幅とは、アンテナが有効に機能する周波数範囲を意味する。
【００３７】
（２）アンテナアレイ
【００３８】
単一のアンテナの指向性は制限される。様々なシナリオでの適用のために、同じ周波数で動作する２つ以上の単一アンテナに電気が供給され、特定の要件に従って空間的に配置され、それによりアンテナ列とも呼ばれるアンテナアレイを構成する。アンテナアレイを構成するアンテナ放射ユニットは、アレイエレメントと呼ばれる。
【００３９】
アンテナアレイの動作原理は、電磁波の重畳とみなすことができる。１つの領域に複数の電磁波が送信されると、重畳原理に従って電磁波にベクトル重畳が生じる。重畳結果は、各電磁波の振幅に関係するばかりでなく、エンカウンター部における電磁波の位相差にも関係する。空間位相差は、異なる位置の送信アンテナによって送信された電磁波が１つの受信領域に送達されるときに生じる。したがって、エンカウンター領域内のいくつかの電磁波には、以下の２つの状況、すなわち、全電界強度の増加を引き起こす同相の重ね合わせと、全電界強度の低下を引き起こす逆位相の重ね合わせとが発生することになる。全電界強度の増減面積が空間的に比較的変化しない場合、これは、アンテナアレイを用いて単一アンテナの放射場構造を変えることと同等である。これは、アンテナアレイがどのように放射場のサイズ及び指向性を変化させるかの原理である。
【００４０】
現在、チャネル状態情報（channel  state  information，ＣＳＩ）測定は、瞬間ＣＳＩの測定、例えばチャネル自体の測定であってもよいし、統計的ＣＳＩの測定、例えばチャネル自己相関行列の測定であってもよい。大規模アンテナアレイの場合、測定の意味は、次元削減やビームグリッド（Grid  of  beam，ＧＯＢ）を含む、統計的にチャネルを処理することにある。
【００４１】
典型的には、大規模アンテナアレイが、周波数分割複信（Frequency  Division  Duplex，ＦＤＤ）規格又は時分割複信（Time  Division  Duplex，ＴＤＤ）規格に従って送信を行う場合、ＣＳＩは主にダウンリンク測定とユーザ装置（User  equipment，ＵＥ）フィードバックによって得られる。具体的には、ロングタームエボリューション（Long  Term  Evolution，ＬＴＥ）／  ＬＴＥ−Ａでは、ＵＥは、ダウンリンク測定により得られたチャネル情報に従ってランクインジケータ（Rank  indicator，ＲＩ）とプリコーディング行列インジケータ（英語：Precoding  matrix  indicator，略してＰＭＩ）を取得し、予め設定されたプリコーディングコードブックに従ってＲＩ及びＰＭＩを量子化した後、プリコーディング行列を決定するために、量子化されたＲＩ及びＰＭＩを基地局にフィードバックする。基地局は、ＲＩ及びＰＭＩを受信した後、データと、復調に使用されるセル固有参照信号（Cell-specific  reference  signal，ＣＲＳ）又は復調参照シンボル（ＤＭ−ＲＳ）とを送信する。
【００４２】
本発明の第１の実施形態は、第１のネットワーク装置のアンテナアレイと第２のネットワーク装置のアンテナアレイとの間のチャネルのチャネル情報を取得するために、アンテナアレイのチャネル情報をフィードバックする方法を提供する。
【００４３】
第１のネットワーク装置は、マクロ基地局、マイクロ基地局、ユーザ装置などの形式のうちの１つのネットワーク装置であってよい。第１のネットワーク装置のアンテナアレイは、Ｍ個のサブアレイを含む。第２のネットワーク装置は、ユーザ装置、例えば携帯電話やタブレットコンピュータなどのポータブルデバイスであってよい。今後のインターネットの発展に伴い、第２のネットワーク装置は、アンテナを備えた端末、例えばスマート冷蔵庫やスマートテレビなどのスマート機器であってもよい。
【００４４】
図１を参照すると、本発明の本実施形態におけるアンテナアレイ間のチャネルに関する情報をフィードバックする方法の実施プロセスは、以下のステップを含む。
【００４５】
１０１：第２のネットワーク装置が、第１のネットワーク装置のアンテナアレイと第２のネットワーク装置のアンテナアレイとの間のＮ×Ｍ個のサブチャネルのチャネル情報を生成する。
【００４６】
第１のネットワーク装置のアンテナアレイはＭ個のサブアレイを含み、第２のネットワーク装置のアンテナアレイはＮ個のサブアレイを含む。ＭとＮは正の整数であり、両方とも１ではない。Ｍ個のサブアレイとＮ個のサブアレイは、それぞれ少なくとも２つのアンテナを含む。典型的なアンテナアレイにおける全てのアンテナサブアレイは、同数のアンテナを含み、対称的に配置される。説明のための例として、第１のネットワーク装置のアンテナアレイを用いる。図２を参照する。アンテナアレイが３６個のアンテナを含み、第１のネットワーク装置のアンテナアレイが４個のサブアレイに分割されていると仮定すると、各サブアレイは８個のアンテナを含み、４個のサブアレイは対称的に配置される。構成ルールはこれに限定されないことが理解できる。別の実施形態では、サブアレイは、異なる数のアンテナを含み、非対称に配置されてもよい。
【００４７】
第１のネットワーク装置のＭ個のサブチャネルと第２のネットワーク装置のＮ個のサブチャネルとに対応して、第１のネットワーク装置のアンテナアレイと第２のネットワーク装置のアンテナアレイとの間には、Ｎ×Ｍ個のサブチャネルが存在する。
【００４８】
具体的には、第１のネットワーク装置のアンテナアレイと第２のネットワーク装置のアンテナアレイとの間のＮ×Ｍ個のサブチャネルのチャネル情報は、ランクインジケータ（ＲＩ）及びプリコーディング行列インジケータ（ＰＭＩ）を含むか、又はプリコーディングを含む。第２のネットワーク装置は、第１のネットワーク装置からの参照信号（Reference  Signal，ＲＳ）に応答して、Ｎ×Ｍ個のサブチャネルのチャネル情報を取得することができ、又は、チャネル相互性に基づいて、Ｎ×Ｍ個のサブチャネルのチャネル情報を取得することができる。
【００４９】
本実施形態では、Ｋ＝Ｎ×Ｍと仮定する。Ｋ個のサブチャネルのチャネル情報は、以下のステップ、
Ｋ個のサブチャネルのチャネル行列の自己相関行列を取得するステップであって、例えば、予め設定されたサブアレイ構成情報に従って、第１のネットワーク装置と第２のネットワーク装置との間のチャネルがＫ個のサブチャネルＨ＝（Ｈ１，Ｈ２，…，Ｈｋ，…ＨＫ）に分割され、Ｈｋの次元はＬ×Ｍｋであり、
【数１】
0006480018.tif 000002
Ｍｋはｋ番目のアンテナグループ内のアンテナポートの数である、ステップと、
Ｋ個のサブチャネルのチャネル行列の自己相関行列に従って、Ｋ個のサブチャネルのＲＩｋ及びＰＭＩｋを得るステップと、
に従って取得される。例えば、Ｋ個のサブチャネルのＲＩ及びＰＭＩを求めるステップは、
第２のネットワーク装置が、Ｋ個のサブチャネルに従って、Ｋ個のサブチャネルの自己相関行列を取得するステップと、
Ｋ個のサブチャネルに対応する自己相関行列に対して、固有値分解（英語全称：Eigenvalue  decomposition，略してＥＶＤ）又は特異値分解（英語全称：Singular  Value  Decomposition，略してＳＶＤ）を実行して、対応するプリコーディングＵｋを取得するステップと、
を含む。
【００５０】
第２のネットワーク装置は、Ｋ個のサブチャネルに対応するプリコーディングＵｋを第１のネットワーク装置にフィードバックすることができ、又は、Ｕｋに対応するコードブックを量子化して、Ｋ個のサブチャネルのＲＩｋ及びＰＭＩｋを取得し、ＲＩｋ及びＰＭＩｋを第１のネットワーク装置にフィードバックすることができる。具体的には、第１のネットワーク装置及び第２のネットワーク装置によって用いられるプリコーディングコードブックにおける各符号語の次元は、Ｍｋ×ｒである。Ｍｋはｋ番目のアンテナグループ内のアンテナポートの数であり、ｒはフロー数である。
【００５１】
第１のネットワーク装置が比較的多いアンテナを有する場合、ＳＶＤ又はＥＶＤの複雑さは比較的高いことが分かる。第１のネットワーク装置のアンテナアレイと第２のネットワーク装置のアンテナアレイをグループに分けることにより、ＳＶＤ又はＥＶＤの複雑さを大幅に低減することができる。
【００５２】
１０２：第２のネットワーク装置が、第１のネットワーク装置に、第１のネットワーク装置のアンテナアレイと第２のネットワーク装置のアンテナアレイとの間のＮ×Ｍ個のサブチャネルのチャネル情報を送信する。
【００５３】
１０３：第１のネットワーク装置が、第２のネットワーク装置から、第１のネットワーク装置のアンテナアレイと第２のネットワーク装置のアンテナアレイとの間のＮ×Ｍ個のサブチャネルのチャネル情報を受信する。
【００５４】
１０４：第１のネットワーク装置が、第２のネットワーク装置からの、第１のネットワーク装置のアンテナアレイと第２のネットワーク装置のアンテナアレイとの間のＮ×Ｍ個のサブチャネルのチャネル情報に従って、第１のネットワーク装置のアンテナアレイと第２のネットワーク装置のアンテナアレイとの間のチャネルのチャネル情報を生成する。任意に、第１のネットワーク装置によって受信された、Ｎ×Ｍ個のサブチャネルのチャネル情報がプリコーディングＵｋである場合、第１のネットワーク装置は、第１のネットワーク装置のアンテナアレイと第２のネットワーク装置のアンテナアレイとの間のチャネルのプリコーディングＵを、Ｋ個のサブチャネルのプリコーディングＵｋに従って取得する。具体的には、Ｕは次の式で求められる。
【数２】
0006480018.tif 000003
【００５５】
第１のネットワーク装置は、プリコーディングＵを量子化して、第１のネットワーク装置のアンテナアレイと第２のネットワーク装置のアンテナアレイとの間のチャネルのＲＩ及びＰＭＩを取得する。第１のネットワーク装置によって受信されたＮ×Ｍ個のサブチャネルのチャネル情報がランクインジケータＲＩｋ及びプリコーディング行列インジケータＰＭＩｋであるとき、第１のネットワーク装置のアンテナアレイと第２のネットワーク装置のアンテナ間のチャネルのＲＩ及びＰＭＩは、Ｋ個のサブチャネルのランクインジケータＲＩｋとのプリコーディング行列インジケータＰＭＩｋとを組み合わせることにより、又は、容量最大化アルゴリズムその他のアルゴリズムを用いて、取得される。
【００５６】
図３を参照する。別の実施形態では、任意に、アンテナアレイ間のチャネルに関する情報をフィードバックする方法は更に、以下のステップを含む。
【００５７】
１００：第１のネットワーク装置が、第２のネットワーク装置にサブアレイ構成情報を送信する。サブアレイ構成情報は、第１のネットワーク装置のアンテナアレイをＭ個のサブアレイに分割するために用いられる。Ｍは２よりも大きい正の整数である。
【００５８】
任意に、ステップ１００はステップ１０１の前に実行され、サブアレイ構成情報は、第１のネットワーク装置のアンテナアレイを予め設定するために用いられる。
【００５９】
任意に、ステップ１００はステップ１０３の後に実行され、サブアレイ構成情報は、第１のネットワーク装置のアンテナアレイを動的に更新するために用いられる。具体的には、第１のネットワーク装置のアンテナアレイの分割が変化すると、第１のネットワーク装置は、サブアレイ構成情報を第２のネットワーク装置に送信する。サブアレイ構成情報は、物理ダウンリンク制御チャネル（英語全称：Physical  Downlink  Control  Channel，略してＰＤＣＣＨ）、無線リンク制御（Radio  Link  Control，略してＲＬＣ）シグナリング又は物理ブロードキャストチャネル（英語全称：Physical  broadcast  channel，略してＰＢＣＨ）を用いて送信されてよい。
【００６０】
サブアレイ構成情報が、第１のネットワーク装置のアンテナアレイを予め設定するために用いられるか、又は第１のネットワーク装置のアンテナアレイを動的に更新するために用いられるかに関わらず、サブアレイ構成情報はサブアレイ分割ルールを含む。第１のネットワーク装置のアンテナアレイは、サブアレイ構成情報に含まれる予め設定されたルールに従って分割される。任意に、別の実施形態では、第１のネットワーク装置が、使用済みの予め設定されたルールを第２のネットワーク装置に、その番号を送信することによって通知できるように、予め設定されたルールに番号が付けられる。
【００６１】
例えば、予め設定されたルールは、少なくとも１つのパターン（Ｐａｔｔｅｒｎ）を含む。第２のネットワーク装置のアンテナアレイのＮ個のサブアレイは、少なくとも１つのパターンに従って決定される。図２を参照すると、パターンの一例として、第１のネットワーク装置のアンテナアレイが４つのサブアレイに分割されている。
【００６２】
例えば、予め設定されたルールは、各サブアレイの開始ポート（Ｐｏｒｔ）番号であり、第１のネットワーク装置のアンテナアレイのＮ個のサブアレイの各々は、開始ポート番号に従って決定される。
【００６３】
本実施形態では、第１のネットワーク装置のアンテナアレイと第２のネットワーク装置のアンテナアレイとが複数のアンテナサブアレイに分割され、第１のネットワーク装置のアンテナアレイと第２のネットワーク装置のアンテナアレイとの間の、複数のアンテナサブアレイに対応する複数のサブチャネルのチャネル情報が取得され、複数のサブチャネルのチャネル情報に従って、第１のネットワーク装置のアンテナアレイと第２のネットワーク装置のアンテナアレイとの間のチャネルのチャネル情報が取得される。このようにして、チャネル情報の取得の複雑さが低減され、システム効率が改善される。
【００６４】
本発明の別の実施形態は、アンテナアレイ間のチャネルに関する情報をフィードバックするための装置を提供する。本装置は、第１のネットワーク装置に適用され、ステップ１０３及びステップ１０４を実行するように構成される。図３を参照すると、アンテナアレイ間のチャネルに関する情報をフィードバックする装置２００は、受信モジュール２１０及び処理モジュール２２０を備える。
【００６５】
受信モジュール２１０は、第２のネットワーク装置によって送信された、Ｎ×Ｍ個のサブチャネルのチャネル情報を受信するように構成される。第１のネットワーク装置のアンテナアレイは、Ｍ個のサブアレイを含む。第２のネットワーク装置のアンテナアレイは、Ｎ個のサブアレイを含む。第１のネットワーク装置のアンテナアレイと第２のネットワーク装置のアンテナアレイとの間のチャネルは、Ｎ×Ｍ個のサブチャネルを含む。ＭとＮは正の整数であり、両方とも１ではない。Ｍ個のサブアレイとＮ個のサブアレイは、それぞれ少なくとも２つのアンテナを含む。
【００６６】
処理モジュール２２０は、受信モジュールからのＮ×Ｍ個のサブチャネルのチャネル情報に従って、第１のネットワーク装置のアンテナアレイと第２のネットワーク装置のアンテナアレイとの間のチャネルのチャネル情報を生成するように構成される。
【００６７】
具体的には、Ｎ×Ｍ個のサブチャネルのサブチャネル情報は、ランクインジケータ（ＲＩ）及びプリコーディング行列インジケータ（ＰＭＩ）を含む。
【００６８】
任意に、別の実施方式では、アンテナアレイ間のチャネルに関する情報をフィードバックするための装置は、更に、上述のステップ１００を実行するように構成される。図５を参照すると、装置２００は更に送信モジュール２３０を備える。
【００６９】
送信モジュール２３０は、サブアレイ構成情報を第２のネットワーク装置に送信するように構成される。サブアレイ構成情報は、第１のネットワーク装置のアンテナアレイをＭ個のサブアレイに分割するために使用される。Ｍは２以上の正の整数である。具体的には、サブアレイ構成情報は、送信モジュール２３０により、ＰＤＣＣＨ、ＲＬＣシグナリング又はＰＢＣＨを用いて送信することができる。
【００７０】
例えば、サブアレイ構成情報は少なくとも１つのパターンを含み、第１のネットワーク装置のアンテナアレイのＭ個のサブアレイは、少なくとも１つのパターンに従って決定される。
【００７１】
例えば、サブアレイ構成情報は各サブアレイの開始ポート番号を含み、第１のネットワーク装置のアンテナアレイのＭ個のサブアレイは、各サブアレイの開始ポート番号に従って決定される。
【００７２】
本発明の別の実施形態は、アンテナアレイ間のチャネルに関する情報をフィードバックするための装置を提供する。本装置は、第２のネットワーク装置に適用され、ステップ１０１及びステップ１０２を実行するように構成される。図３を参照すると、アンテナアレイ間のチャネルに関する情報をフィードバックするための装置３００は、処理モジュール３１０及び送信モジュール３２０を備える。
【００７３】
処理モジュール３１０は、第１のネットワーク装置のアンテナアレイと第２のネットワーク装置のアンテナアレイとの間のチャネルのＮ×Ｍ個のサブチャネルのチャネル情報を生成するように構成される。第１のネットワーク装置のアンテナアレイはＭ個のサブアレイを含む。第２のネットワーク装置のアンテナアレイはＮ個のサブアレイを含む。Ｍ及びＮは正の整数であり且つ両者とも１ではない。Ｍ個のサブアレイとＮ個のサブアレイは、それぞれ少なくとも２つのアンテナを含む。
【００７４】
具体的には、第１のネットワーク装置のアンテナアレイと第２のネットワーク装置のアンテナアレイとの間のＮ×Ｍ個のサブチャネルのチャネル情報は、ランクインジケータ（ＲＩ）及びプリコーディング行列インジケータ（ＰＭＩ）を含む。処理モジュール３１０は、第１のネットワーク装置からの参照信号（Reference  Signal，ＲＳ）に応答して、Ｎ×Ｍ個のサブチャネルのチャネル情報を得ることができ、又は、チャネル相互性に基づいて、Ｎ×Ｍ個のサブチャネルのチャネル情報を得ることができる。
【００７５】
送信モジュール３２０は、Ｎ×Ｍ個のサブチャネルのチャネル情報を第１のネットワーク装置に送信するように構成される。それにより第１のネットワーク装置は、Ｎ×Ｍ個のサブチャネルのチャネル情報に従って、第１のネットワーク装置のアンテナアレイと第２のネットワーク装置のアンテナアレイとの間のチャネルのチャネル情報を生成できる。
【００７６】
任意に、別の実施態様において、図３を参照すると、アンテナアレイ間のチャネルに関する情報をフィードバックするための装置３００は、受信モジュール３３０を備える。
【００７７】
受信モジュール３３０は、第１のネットワーク装置によって送信されたサブアレイ構成情報を受信するように構成される。サブアレイ構成情報は、第１のネットワーク装置のアンテナアレイをＭ個のサブアレイに分割するために使用される。Ｍは２よりも大きい正の整数である。具体的には、サブアレイ構成情報は、ＰＤＣＣＨを用いて、又はＲＬＣシグナリングを受信することにより、又はＰＢＣＨを用いて、受信モジュール３３０によって受信することができる。
【００７８】
例えば、サブアレイ構成情報は少なくとも１つのパターンを含む。第１のネットワーク装置のアンテナアレイのＭ個のサブアレイは、少なくとも１つのパターンに従って決定される。
【００７９】
例えば、サブアレイ構成情報は、各サブアレイの開始ポート番号を含む。第１のネットワーク装置のアンテナアレイのＭ個のサブアレイは、各サブアレイの開始ポート番号に従って決定される。
【００８０】
加えて、本発明の実施形態におけるモジュールは、１つの処理モジュールに統合されてよい。或いは、各々のモジュールは物理的に単独で存在してよい。或いは、２つ以上のモジュールが１つのモジュールに統合されてよい。統合モジュールは、ハードウェアの形態で実現されてもよく、ソフトウェア機能モジュールの形態で実現されてもよい。本発明の実施形態を参照して開示された方法のステップは、ハードウェア符号化プロセッサを用いて直接実行されてもよいし、符号化プロセッサ内のハードウェアとソフトウェアモジュールとの組合わせを用いて実行及び遂行されてもよい。ソフトウェアモジュールは、ランダムアクセスメモリ、フラッシュメモリ、読出専用メモリ、プログラマブル読出専用メモリ、電気的消去可能プログラマブルメモリ、レジスタなどのような記憶媒体に配置することができる。
【００８１】
モジュール又は統合モジュールがハードウェアの形態で実現される場合、モジュール又は統合モジュールは、集積回路（Integrated  Circuit，ＩＣ）、特定用途向け集積回路（Application-Specific  Integrated  Circuit，ＡＳＩＣ）、フィールドプログラマブルゲートアレイ（Field-Programmable  Gate  Array，ＦＰＧＡ）などであってよく、或いは、ベースバンドプロセッサ又は汎用プロセッサに組み込まれてもよい。
【００８２】
モジュール又は統合モジュールがソフトウェア機能モジュールの形態で実現され、独立した製品として販売又は使用される場合、モジュール又は統合モジュールはコンピュータ可読記憶媒体に格納されてよい。このような理解に基づいて、本発明の技術的解決策は本質的に、又は先行技術に寄与する部分、又は技術的解決策の全部又は一部は、ソフトウェア製品の形態で実現されてよい。ソフトウェア製品は、記憶媒体に格納され、コンピュータ装置（パーソナルコンピュータ、サーバ又はネットワーク装置であってよい）に本発明の実施形態に記載の方法のステップの全部又は一部を実行するよう指示するためのいくつかの命令を含む。上記の記憶媒体は、ＵＳＢフラッシュドライブ、リムーバブルハードディスク、リードオンリーメモリ（ＲＯＭ，Read-Only  Memory）、ランダムアクセスメモリ（ＲＡＭ，Random  Access  Memory）、磁気ディスク、光ディスクなど、プログラムコードを格納することのできる任意の媒体が含まれる。
【００８３】
上記の説明は、本発明の具体的な実施形態に過ぎず、本発明の保護範囲を限定するものではない。本発明に開示された技術的範囲内において当業者が容易に把握できる変更又は置換は、いずれも本発明の保護範囲に包含されるものとする。したがって、本発明の保護範囲は、特許請求の範囲の保護範囲に従うものとする。
【図１】
0006480018.tif 000004
【図２】
0006480018.tif 000005
【図３】
0006480018.tif 000006
【図４】
0006480018.tif 000007
【図５】
0006480018.tif 000008